(57)【要約】【課題】角質除去を容易に十分行うことができる角質除去具を提供することを目的とする。【解決手段】角質除去具１は、本体３と、この本体３に一体的に取り付けられた把持部５とからなる。本体３の外周は、第１曲線部７と第２曲線部９と第３曲線部１１と第４曲線部１３とからなる。そして、第１曲線部７の曲率は、第２曲線部９の曲率よりも大きく、かつ、第１曲線部７の曲率は、第３曲線部１１の曲率よりも大きくされている。第１曲線部７、第２曲線部９、及び第３曲線部１１に沿った縁部には、凸凹が交互に並んだきざきざの刃部１５が形成されている。【選択図】  図２
2008086668.tif 000002
【特許請求の範囲】
【請求項１】
外周が略円形又は略楕円形で湾曲状の角質除去具であって、
前記外周は、第１曲線部と、前記第１曲線部の一端に連なる第２曲線部と、前記第１曲線部の他端に連なる第３曲線部と、前記第２曲線部と前記第３曲線部とを結ぶ第４曲線部とからなり、
前記第１曲線部の曲率は、前記第２曲線部の曲率よりも大きく、
前記第１曲線部の曲率は、前記第３曲線部の曲率よりも大きく、
前記第１曲線部、前記第２曲線部、及び前記第３曲線部に沿った縁部には、凸凹が交互に並んだぎざぎざの刃部が形成されるとともに、
前記第１曲線部、前記第２曲線部、前記第３曲線部、及び前記第４曲線部によって囲まれた略中央には、湾曲部が形成されていることを特徴とする皮膚の角質除去具。
【請求項２】
更に把持部を有し、前記把持部は前記第４曲線部の部分に取り付けられている請求項１記載の皮膚の角質除去具。
【請求項３】
前記把持部は、前記第４曲線部近傍の位置にて屈曲されている請求項１又は２に記載の皮膚の角質除去具。
【請求項４】
前記刃部のピッチが５０〜１５０μｍである請求項１ないし３のいずれか一項に記載の皮膚の角質除去具。
【発明の詳細な説明】
【技術分野】
【０００１】
本発明は、皮膚の角質除去具に関し、さらに詳しくは、水虫（白癬菌による皮膚病）患部の角質を容易に除去する為の角質除去具、魚の目、タコを取り除くための角質除去具に関する。
以下本文は「皮膚の角質除去具」を角質除去具と表現する。
【背景技術】
【０００２】
従来、水虫、魚の目、タコ等の皮膚における角質の除去具としては、円柱状の硬質体の表面にセラミック等の微粒子を接着した角質除去具が提案されている（例えば、特許文献１参照）。
また、アーム部の先端にセラミックの粗面片が取り付けられた角質除去具が提案されている（例えば、特許文献２参照）。
しかしながら、これらの角質除去具を使用しても角質除去が必ずしも十分とは言えず、角質除去効果の高い角質除去具が切望されていた。
また、上記従来の角質除去具は取り扱いが必ずしも容易ではなかった。
【０００３】
【特許文献１】実開平６−５８９１８号公報
【特許文献２】登録実用新案第３００２０８７号公報
【発明の開示】
【発明が解決しようとする課題】
【０００４】
本発明は、上記現状に鑑みてなされたものであり、角質除去を容易に十分行うことができる角質除去具を提供することを目的とする。
【課題を解決するための手段】
【０００５】
本発明は、以下の通りである。
すなわち、請求項１の発明は、
外周が略円形又は略楕円形で湾曲状の角質除去具であって、
前記外周は、第１曲線部と、前記第１曲線部の一端に連なる第２曲線部と、前記第１曲線部の他端に連なる第３曲線部と、前記第２曲線部と前記第３曲線部とを結ぶ第４曲線部とからなり、
前記第１曲線部の曲率は、前記第２曲線部の曲率よりも大きく、
前記第１曲線部の曲率は、前記第３曲線部の曲率よりも大きく、
前記第１曲線部、前記第２曲線部、及び前記第３曲線部に沿った縁部には、凸凹が交互に並んだぎざぎざの刃部が形成されるとともに、
前記第１曲線部、前記第２曲線部、前記第３曲線部、及び前記第４曲線部によって囲まれた略中央には、湾曲部が形成されていることを特徴とする皮膚の角質除去具である。
【０００６】
請求項２の発明は、更に把持部を有し、前記把持部は前記第４曲線部の部分に取り付けられている請求項１記載の皮膚の角質除去具である。
【０００７】
請求項３の発明は、前記把持部は、前記第４曲線部近傍の位置にて屈曲されている請求項１又は２に記載の皮膚の角質除去具である。
【０００８】
請求項４の発明は、前記刃部のピッチが５０〜１５０μｍである請求項１ないし３のいずれか一項に記載の皮膚の角質除去具である。
【発明の効果】
【０００９】
本発明の角質除去具によると、第１曲線部、第２曲線部、及び第３曲線部に沿った縁部には、凸凹が交互に並んだぎざぎざの刃部が形成されており、この刃部により角質の除去を十分にできる。
また、第１曲線部の曲率は、第２曲線部の曲率及び第３曲線部の曲率よりも大きくなっている。すなわち、第１曲線部は曲率が大きくて、より湾曲しているため、この第１曲線部を指間に挿入し易い。よって、指間の角質除去を容易に効率的に行うことができる。
また、本発明の角質除去具では、第１曲線部、第２曲線部、第３曲線部、及び第４曲線部によって囲まれた略中央には、湾曲部が形成されている。この湾曲部を皮膚に押し当てると、皮膚が弾性変形して、削る角質が浮くとともに角質が刃部に密着するから、角質除去を容易に行うことができる。
また、更に把持部を有する場合には、角質除去具を握りやすいから、角質除去を容易に行うことができる。
また、把持部が、第４曲線部近傍の位置にて屈曲されている場合には、この屈曲された部分に指を掛けると角質除去具を更に握りやすくなり、角質除去をより容易に行うことができる。
また、刃部のピッチが５０〜１５０μｍであると、角質をより効率的に除去することができる。
【発明を実施するための最良の形態】
【００１０】
本発明の一実施形態を図１ないし図７を参照しつつ説明する。
本実施形態の角質除去具１は、角質除去具本体３（以下、「本体３」と略す。）と、この本体３に一体的に取り付けられた把持部５とからなる。本体３は外周が略円形又は略楕円形で湾曲状とされている。ここで、略円形又は略楕円形には、円形、楕円形の他、卵形、スプーン形等も含まれる。
本体３の外周は、図２に示されるように、第１曲線部７と、第１曲線部の一端に連なる第２曲線部９と、第１曲線部の他端に連なる第３曲線部１１と、第２曲線部９と第３曲線部１１とを結ぶ第４曲線部１３とからなる（なお、第１曲線部７、第２曲線部９、第３曲線部１１、第４曲線部１３は、概同一長とされている）。
そして、第１曲線部７の曲率は、第２曲線部９の曲率よりも大きく、かつ、第１曲線部７の曲率は、第３曲線部１１の曲率よりも大きくされている。すなわち、図２に示されるように本体３は、第一曲線部７でやや尖った卵形形状をなしている。
図３に示されるように第１曲線部７、第２曲線部９、及び第３曲線部１１に沿った縁部には、凸凹が交互に並んだぎざぎざの刃部１５が形成されている。この刃部１５の形成方法は特に限定されないが、砥石によって研ぐことによって好適に形成することができる。
【００１１】
図３に示す刃部１５のピッチＬは、特に限定されないが、５〜５００μｍであることが好ましく、１０〜２００μｍであることが更に好ましく、５０〜１５０μｍであることが特に好ましい。
刃部１５のピッチＬが５μｍよりも小さいと、刃部１５によって角質部を刮ぎ落とす際に、皮膚を切ってしまうおそれがあり、一方、刃部１５のピッチＬが５００μｍよりも大きいと、角質部を刮ぎ落としにくい傾向にあるからである。
なお、図３の符号Ｅで示す角部が、角質部に食い付き、その結果、白癬菌の潜む皮膚の角質部を除去しやすくなるものと考えられる。
【００１２】
また、本体の第１曲線部７、第２曲線部９、第３曲線部１１、及び第４曲線部１３によって囲まれた略中央には、湾曲部１７が形成されている。すなわち、図４に示されるように、本体３は、上方に膨出した形態となっている。
【００１３】
また、本実施形態の角質除去具１は、更に把持部５（グリップ部）を有し、この把持部５は第４曲線部１３に取り付けられている。把持部５の形状は特に限定されないが、持ちやすさ等の観点から板状であることが好ましい。また、この把持部５は、本体３に一体的に取り付けられている。
また、把持部５は、図１に示されるように、第４曲線部１３近傍の位置にて屈曲しており、屈曲部５Ａが形成されている。
【００１４】
さて、ここで、本実施形態の角質除去具１の作用効果について説明する。
本実施形態の角質除去具１を使用する際には、図４に示すように通常、把持部５の屈曲部５Ａを握る。
そして、刃部１５を皮膚に密着させて、角質部を刮ぎ落とす。この際に、本体３は、第一曲線部７の部分でやや尖った卵形形状をなしているから、図５に示すように、この第１曲線部７を指間１９に挿入し易い。よって、指間１９の角質除去を容易に効率的に行うことができる。
【００１５】
また、本実施形態の角質除去具１は次のようにしても使用される。図６に示すように、角質除去具１を押しあてて、白癬菌の潜む皮膚の角質部を浮かし、ぎざぎざの刃部を角質部に当てる。そして、図７に示すように、角質除去具１を矢印の方向へ動かして角質部を除去する。この後に水虫薬を塗布する。なお、図７の断面Ｄ−Ｄの矢印で示すように、皮膚にしわを生じない様に、片方の手で皮膚が張る様に延ばすことが好ましい。これをやらないとぎざぎざの刃部が深く食い込みケガをするおそれがある。
なお、使用の終わった角質除去具１は、洗浄後、ガスコンロ等の炎で或いは熱湯（１００℃）で白癬菌を殺菌することが望ましい。また、上記対処法は、風呂あがりの皮膚がふやけた状態で実施することが好ましい。
【００１６】
また、本実施形態では、把持部５が、第４曲線１３近傍の位置にて屈曲されているから、図４に示すように、屈曲部５Ａに指を掛けると角質除去具１が握りやすくなり、角質除去を容易に行うことができる。
【００１７】
<他の実施形態>
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、把持部５を備えた角質除去具１を示したが、把持部５を備えていなくてもよい。
（２）なお、上記角質除去具１の材質は特に限定されず、金属、樹脂等を使用することができる。
（３）また、刃部１５の形状は、凸凹が交互に並んだぎざぎざの形状であれば、図３に示された形状に限定されない。
【産業上の利用可能性】
【００１８】
角質を除去する除去具として、広く利用される。特に水虫、魚の目、タコを除去するために好適に利用される。
【図面の簡単な説明】
【００１９】
【図１】本発明の一実施形態の角質除去具の斜視図である。
【図２】角質除去具の本体の拡大説明図である。
【図３】角質除去具の本体の拡大説明図である。
【図４】角質除去具の使用状態を説明するための説明図である。
【図５】角質除去具の使用状態を説明するための説明図である。
【図６】角質除去具の使用状態を説明するための説明図である。
【図７】角質除去具の使用状態を説明するための説明図である。
【符号の説明】
【００２０】
１…角質除去具
３…角質除去具本体
５…把持部
５Ａ…屈曲部
７…第１曲線部
９…第２曲線部
１１…第３曲線部
１３…第４曲線部
１５…刃部
１７…湾曲部
１９…指間
【図１】
2008086668.tif 000003
【図２】
2008086668.tif 000004
【図３】
2008086668.tif 000005
【図４】
2008086668.tif 000006
【図５】
2008086668.tif 000007
【図６】
2008086668.tif 000008
【図７】
2008086668.tif 000009